(57)【要約】【課題】視聴するコンテンツを選択する操作をウェアラブル端末で行うことなく、当該ウェアラブル端末でコンテンツを視聴できるようにする。【解決手段】ウェアラブル端末３は、コンテンツを取得するコンテンツ取得部３６４と、コンテンツ取得部３６４が取得したコンテンツを表示する表示部３３と、コンテンツを注文するための注文端末に表示される認証用画像を読み取る画像読取部３６１と、認証用識別情報を記憶する記憶部３５と、画像読取部３６１が読み取った認証用画像に基づいて認証処理を実行する認証処理部３６３と、認証用画像に認証用識別情報が含まれていることを条件に認証処理が成功した場合に、ウェアラブル端末３でのコンテンツの視聴を可能にする表示制御部３６５と、を有する。【選択図】図４
2019161524.tif 000002
【特許請求の範囲】
【請求項１】
コンテンツを視聴可能なウェアラブル端末であって、
前記コンテンツを取得するコンテンツ取得部と、
前記コンテンツ取得部が取得した前記コンテンツを表示するコンテンツ表示部と、
前記コンテンツを注文するための注文端末に表示される認証用画像を読み取る画像読取部と、
認証用識別情報を記憶する記憶部と、
前記画像読取部が読み取った前記認証用画像に基づいて、認証処理を実行する認証処理部と、
前記認証用画像に前記認証用識別情報が含まれていることを条件に前記認証処理が成功した場合に、前記ウェアラブル端末での前記コンテンツの視聴を可能にする表示制御部と、
を有するウェアラブル端末。
【請求項２】
前記認証用識別情報は、前記ウェアラブル端末を識別する端末識別情報を含む、
請求項１に記載のウェアラブル端末。
【請求項３】
前記端末識別情報は、前記ウェアラブル端末を貸し出している店舗又は貸出者を識別するための識別情報を含む、
請求項２に記載のウェアラブル端末。
【請求項４】
前記ウェアラブル端末は、ヘッドマウントディスプレイである、
請求項１から３のいずれか一項に記載のウェアラブル端末。
【請求項５】
コンテンツを注文するための注文端末と、前記注文端末により注文されたコンテンツを視聴可能なウェアラブル端末を備え、
前記注文端末は、
前記コンテンツを注文するための注文画面を表示する注文用表示部と、
前記注文画面において前記コンテンツが注文された後に、前記ウェアラブル端末を利用した認証処理を行える状態に移行する注文管理部と、
を有し、
前記ウェアラブル端末は、
前記コンテンツを取得するコンテンツ取得部と、
前記コンテンツ取得部が取得した前記コンテンツを表示するコンテンツ表示部と、
前記注文端末が前記認証処理を行える状態に移行した後に前記認証処理を実行する認証処理部と、
前記認証処理に成功したことを条件として、前記コンテンツ表示部への前記コンテンツの視聴を可能にする表示制御部と、
を有する視聴管理システム。
【請求項６】
前記注文管理部は、前記認証処理を行うための認証用画像を前記注文端末に表示させることにより、前記認証処理を行える状態に移行し、
前記ウェアラブル端末は、前記認証用画像を読み取る画像読取部をさらに有し、
前記認証処理部は、前記画像読取部が読み取った前記認証用画像に基づいて、前記認証処理を実行する、
請求項５に記載の視聴管理システム。
【請求項７】
前記注文管理部は、前記コンテンツが注文された後に、端末識別情報を含む前記認証用画像を前記注文端末に表示させる、
請求項６に記載の視聴管理システム。
【請求項８】
前記端末識別情報は、前記ウェアラブル端末を貸し出している店舗または貸出者を識別するための識別情報を含む、
請求項７に記載の視聴管理システム。
【請求項９】
前記注文端末は、
前記注文用表示部は、複数の店舗に対応する複数の注文画面から選択された、前記ウェアラブル端末を貸し出す店舗に対応する前記注文画面を表示し、
前記注文管理部は、前記ウェアラブル端末を貸し出す店舗に対応する前記注文画面に、当該店舗を識別するための店舗識別情報を含む前記認証用画像を表示させる、
請求項８に記載の視聴管理システム。
【請求項１０】
前記注文管理部は、前記認証処理を行うための認証情報の送信を開始することにより、前記認証処理を行える状態に移行し、
前記ウェアラブル端末は、前記注文端末が送信する前記認証情報を受信する受信部をさらに有し、
前記認証処理部は、前記受信部が受信した前記認証情報が所定の情報と一致しているか否かに基づいて前記認証処理を実行する、
請求項５に記載の視聴管理システム。
【請求項１１】
前記注文画面において前記コンテンツが注文されたことを示す注文情報を受信し、前記コンテンツを注文した客を識別するための客識別情報に関連付けて管理する販売管理システムをさらに備える、
請求項５から１０のいずれか一項に記載の視聴管理システム。
【請求項１２】
前記ウェアラブル端末は、ヘッドマウントディスプレイである、
請求項５から１１のいずれか一項に記載の視聴管理システム。
【請求項１３】
コンテンツの注文を管理するサーバと、コンテンツを視聴するウェアラブル端末と、を備えるコンテンツ注文システムであって、
前記サーバは、
コンテンツを注文する注文端末から、注文されたコンテンツを識別するコンテンツ識別情報を含む注文情報を取得する取得部と、
前記注文端末に、前記注文情報に基づく認証用識別情報を含む認証用画像を表示させる指示を送信する送信部と、
を有し、
前記ウェアラブル端末は、
前記コンテンツを取得するコンテンツ取得部と、
前記コンテンツ取得部が取得した前記コンテンツを表示するコンテンツ表示部と、
前記注文端末が前記サーバからの指示を受けて表示する前記認証用画像を読み取る画像読取部と、
前記認証用識別情報を記憶する記憶部と、
前記画像読取部が読み取った前記認証用画像に基づいて、認証処理を実行する認証処理部と、
前記認証用画像に前記認証用識別情報が含まれていることを条件に前記認証処理が成功した場合に、前記ウェアラブル端末での前記コンテンツの視聴を可能にする表示制御部と、
を有するコンテンツ注文システム。
【請求項１４】
前記認証用識別情報は、前記ウェアラブル端末を識別する端末識別情報を含み、
前記送信部は、前記端末識別情報を含む前記認証用画像を前記注文端末に表示させる指示を送信する、
請求項１３に記載のコンテンツ注文システム。
【請求項１５】
コンテンツを視聴可能なウェアラブル端末で前記コンテンツを視聴させるための視聴管理方法であって、
前記コンテンツを注文するための注文画面を注文端末に表示するステップと、
前記注文画面において前記コンテンツが注文された後に、前記注文端末が前記ウェアラブル端末を利用した認証処理を行える状態に移行するステップと、
前記注文端末が前記認証処理を行える状態に移行した後に前記ウェアラブル端末を利用して前記認証処理を実行するステップと、
前記認証処理に成功したことを条件として、前記ウェアラブル端末での前記コンテンツの視聴を可能にするステップと、
を有する視聴管理方法。
【発明の詳細な説明】
【技術分野】
【０００１】
本発明は、ウェアラブル端末、視聴管理システム、コンテンツ注文システム及び視聴管理方法に関する。
【背景技術】
【０００２】
従来、立体映像等のコンテンツを視聴することができるゴーグル型端末が知られている（例えば、特許文献１を参照）。
【先行技術文献】
【特許文献】
【０００３】
【特許文献１】特表２０１７−５１１０４１号公報
【発明の概要】
【発明が解決しようとする課題】
【０００４】
ゴーグル型端末等のウェアラブル端末は高価であるため、喫茶店やレンタルビデオ店で貸し出すサービスが提供されている。ウェアラブル端末で視聴するコンテンツを選択させる場合、精算のための個人情報をウェアラブル端末で入力する必要があった。この場合、貸し出されるウェアラブル端末に個人情報が残ってしまうため、個人情報保護の観点での問題があった。
【０００５】
そこで、本発明はこれらの点に鑑みてなされたものであり、視聴するコンテンツを選択する操作をウェアラブル端末で行うことなく、当該ウェアラブル端末でコンテンツを視聴できるようにすることを目的とする。
【課題を解決するための手段】
【０００６】
本発明の第１の態様のウェアラブル端末は、コンテンツを視聴可能なウェアラブル端末であって、前記コンテンツを取得するコンテンツ取得部と、前記コンテンツ取得部が取得した前記コンテンツを表示するコンテンツ表示部と、前記コンテンツを注文するための注文端末に表示される認証用画像を読み取る画像読取部と、認証用識別情報を記憶する記憶部と、前記画像読取部が読み取った前記認証用画像に基づいて、認証処理を実行する認証処理部と、前記認証用画像に前記認証用識別情報が含まれていることを条件に前記認証処理が成功した場合に、前記ウェアラブル端末での前記コンテンツの視聴を可能にする表示制御部と、を有する。
【０００７】
前記認証用識別情報は、例えば、前記ウェアラブル端末を識別する端末識別情報を含む。前記端末識別情報は、例えば、前記ウェアラブル端末を貸し出している店舗又は貸出者を識別するための識別情報を含む。前記ウェアラブル端末は、例えばヘッドマウントディスプレイである。
【０００８】
本発明の第２の態様の視聴管理システムは、コンテンツを注文するための注文端末と、前記注文端末により注文されたコンテンツを視聴可能なウェアラブル端末を備え、前記注文端末は、前記コンテンツを注文するための注文画面を表示する注文用表示部と、前記注文画面において前記コンテンツが注文された後に、前記ウェアラブル端末を利用した認証処理を行える状態に移行する注文管理部と、を有し、前記ウェアラブル端末は、前記コンテンツを取得するコンテンツ取得部と、前記コンテンツ取得部が取得した前記コンテンツを表示するコンテンツ表示部と、前記注文端末が前記認証処理を行える状態に移行した後に前記認証処理を実行する認証処理部と、前記認証処理に成功したことを条件として、前記コンテンツ表示部への前記コンテンツの視聴を可能にする表示制御部と、を有する。
【０００９】
前記注文管理部は、前記認証処理を行うための認証用画像を前記注文端末に表示させることにより、前記認証処理を行える状態に移行し、前記ウェアラブル端末は、前記認証用画像を読み取る画像読取部をさらに有し、前記認証処理部は、前記画像読取部が読み取った前記認証用画像に基づいて、前記認証処理を実行してもよい。
【００１０】
前記注文管理部は、前記コンテンツが注文された後に、端末識別情報を含む前記認証用画像を前記注文端末に表示させてもよい。前記端末識別情報は、前記ウェアラブル端末を貸し出している店舗または貸出者を識別するための識別情報を含んでもよい。
【００１１】
前記注文端末は、前記注文用表示部は、複数の店舗に対応する複数の注文画面から選択された、前記ウェアラブル端末を貸し出す店舗に対応する前記注文画面を表示し、前記注文管理部は、前記ウェアラブル端末を貸し出す店舗に対応する前記注文画面に、当該店舗を識別するための店舗識別情報を含む前記認証用画像を表示させてもよい。
【００１２】
前記注文管理部は、前記認証処理を行うための認証情報の送信を開始することにより、前記認証処理を行える状態に移行し、前記ウェアラブル端末は、前記注文端末が送信する前記認証情報を受信する受信部をさらに有し、前記認証処理部は、前記受信部が受信した前記認証情報が所定の情報と一致しているか否かに基づいて前記認証処理を実行してもよい。
【００１３】
視聴管理システムは、前記注文画面において前記コンテンツが注文されたことを示す注文情報を受信し、前記コンテンツを注文した客を識別するための客識別情報に関連付けて管理する販売管理システムをさらに備えてもよい。前記ウェアラブル端末は、例えばヘッドマウントディスプレイである。
【００１４】
本発明の第３の態様のコンテンツ注文システムは、コンテンツの注文を管理するサーバと、コンテンツを視聴するウェアラブル端末と、を備えるコンテンツ注文システムであって、前記サーバは、コンテンツを注文する注文端末から、注文されたコンテンツを識別するコンテンツ識別情報を含む注文情報を取得する取得部と、前記注文端末に、前記注文情報に基づく認証用識別情報を含む認証用画像を表示させる指示を送信する送信部と、を有し、前記ウェアラブル端末は、前記コンテンツを取得するコンテンツ取得部と、前記コンテンツ取得部が取得した前記コンテンツを表示するコンテンツ表示部と、前記注文端末が前記サーバからの指示を受けて表示する前記認証用画像を読み取る画像読取部と、前記認証用識別情報を記憶する記憶部と、前記画像読取部が読み取った前記認証用画像に基づいて、認証処理を実行する認証処理部と、前記認証用画像に前記認証用識別情報が含まれていることを条件に前記認証処理が成功した場合に、前記ウェアラブル端末での前記コンテンツの視聴を可能にする表示制御部と、を有する。
【００１５】
前記認証用識別情報は、前記ウェアラブル端末を識別する端末識別情報を含み、前記送信部は、前記端末識別情報を含む前記認証用画像を前記注文端末に表示させる指示を送信してもよい。
【００１６】
本発明の第４の態様の視聴管理方法は、コンテンツを視聴可能なウェアラブル端末で前記コンテンツを視聴させるための視聴管理方法であって、前記コンテンツを注文するための注文画面を注文端末に表示するステップと、前記注文画面において前記コンテンツが注文された後に、前記注文端末が前記ウェアラブル端末を利用した認証処理を行える状態に移行するステップと、前記注文端末が前記認証処理を行える状態に移行した後に前記ウェアラブル端末を利用して前記認証処理を実行するステップと、前記認証処理に成功したことを条件として、前記ウェアラブル端末での前記コンテンツの視聴を可能にするステップと、を有する。
【発明の効果】
【００１７】
本発明によれば、視聴するコンテンツを選択する操作をウェアラブル端末で行うことなく、当該ウェアラブル端末でコンテンツを視聴できるという効果を奏する。
【図面の簡単な説明】
【００１８】
【図１】第１の実施形態の視聴管理システムの概要を説明するための図である。
【図２】注文端末の構成を示す図である。
【図３】表示部に表示される注文画面の例を示す図である。
【図４】ウェアラブル端末の構成を示す図である。
【図５】認証処理部が撮像画像に基づいて認証処理を実行する動作について説明するための図である。
【図６】視聴管理システムにおける処理シーケンスを示す図である。
【図７】第２の実施形態に係る視聴管理システムの構成を示す図である。
【図８】携帯端末の構成を示す図である。
【図９】第３の実施形態に係る視聴管理システムの構成を示す図である。
【発明を実施するための形態】
【００１９】
＜第１の実施形態＞
図１は、第１の実施形態の視聴管理システムＳ１の概要を説明するための図である。視聴管理システムＳ１は、注文端末１と、販売管理装置２と、ウェアラブル端末３と、コンテンツサーバ４と、を備える。視聴管理システムＳ１は、漫画喫茶のように、各種のコンテンツを視聴又は閲覧（以下、「視聴又は閲覧」を「視聴」という）できる店舗において、コンテンツの視聴の可否を管理するためのシステムである。本実施の形態においては、コンテンツを視聴する客に個室が割り当てられて、客が個室に設置された注文端末１を操作することにより飲食物の注文やコンテンツを視聴する注文を行うという場合を例示するが、客がコンテンツを視聴する店舗の態様は任意である。
【００２０】
注文端末１は、コンテンツを注文するための注文画面を表示する端末であり、例えばパーソナルコンピュータ、タブレット又はスマートフォンである。客が店舗において所定の手続き（例えば会員証の提示）を行うと、コンテンツを視聴するためのウェアラブル端末３が客に貸し出される。また、客には個室が割り当てられて、客に割り当てられた個室に設置された注文端末１に注文画面が表示される状態になる（図１における（１））。
【００２１】
客が注文端末１において注文の操作を行うと、注文端末１は、注文内容を販売管理装置２に送信する。販売管理装置２は、注文端末１の注文画面においてコンテンツが注文されたことを示す注文情報を受信し、コンテンツを注文した客を識別するための客識別情報（以下、会員ＩＤという）に関連付けて注文情報を記憶する。注文端末１及び販売管理装置２は、注文を管理するための注文管理システムＰ（例えばＰＯＳ（Point Of Sales）システム）として機能する。また、販売管理装置２及びウェアラブル端末３は、連動してコンテンツ注文システムとして機能する。
【００２２】
販売管理装置２は、注文端末１から注文内容を受け付けると（図１における（２））、注文端末１を使用している客の会員ＩＤに関連付けて注文内容及び料金を記憶する。販売管理装置２は、注文内容及び料金を記憶すると、注文を受け付けたことを注文端末１に通知する。
【００２３】
続いて、注文端末１は、外部のコンテンツサーバ４に対して、客が注文したコンテンツを識別するためのコンテンツ識別情報（以下、コンテンツＩＤという）、及びウェアラブル端末３を貸し出している店舗を識別するための店舗識別情報（以下、店舗ＩＤという）を含むメッセージを送信することにより、ウェアラブル端末３でコンテンツを取得する際に用いる認証用画像を要求する（図１における（３））。コンテンツサーバ４は、各種のコンテンツを記憶しているサーバである。認証用画像は、認証に用いられる情報が含まれている画像であり、例えばＱＲコード（登録商標）であり、以下の説明では認証用画像としてＱＲコードが用いられる場合を例示する。
【００２４】
コンテンツサーバ４は、ＱＲコードの要求を受けると、店舗ＩＤ、コンテンツＩＤ及びワンタイムキーを含むＱＲコードを注文端末１に提供する（図１における（４））。
【００２５】
注文端末１は、コンテンツサーバ４からＱＲコードを受信すると、ウェアラブル端末３がコンテンツの閲覧を許可された端末であるか否かを認証するために用いられる認証用画像としてのＱＲコードを表示する（図１における（５））。
【００２６】
ウェアラブル端末３は、映像や音楽等のコンテンツを視聴することができる端末であり、例えばゴーグル型のヘッドマウントディスプレイデバイス（ＨＭＤ）である。客は、ウェアラブル端末３を認証用画像の前で静止させることで、ウェアラブル端末３にＱＲコードを読み取らせる（図１における（６））。ウェアラブル端末３は、読み取ったＱＲコードに含まれている店舗ＩＤ、コンテンツＩＤ、ワンタイムキー、及び予め記憶されている認証キーワードを含むコンテンツ要求メッセージをコンテンツサーバ４に送信することにより認証処理を実行する（図１における（７））。認証キーワードは、予めウェアラブル端末３の製造者又は店舗の店員が、所定の端末から店舗ＩＤとパスワードを用いてコンテンツサーバ４にログインすることにより取得され、ウェアラブル端末３の記憶部に記憶されている。
【００２７】
コンテンツサーバ４は、コンテンツ要求メッセージに含まれている店舗ＩＤ及び認証キーワードが正規のウェアラブル端末３であることを示しているか否かを確認する。また、コンテンツ要求メッセージに含まれているコンテンツＩＤが、店舗ＩＤに対応する店舗に提供しているコンテンツＩＤか否かを確認する。さらに、コンテンツサーバ４は、コンテンツ要求メッセージに含まれているワンタイムキーが、注文端末１に提供したワンタイムキーであるか否かを確認する。コンテンツサーバ４は、これらの確認が全て完了すると、認証が正常に行われたと判定して、コンテンツ要求メッセージに含まれているコンテンツＩＤに対応するコンテンツの提供を開始する（図１における（８））。コンテンツサーバ４は、例えばコンテンツをストリーミング配信し、ウェアラブル端末３は、受信したコンテンツを表示させる。
【００２８】
以上のように、視聴管理システムＳ１においては、客が、コンテンツを視聴するために用いるウェアラブル端末３ではなく、注文端末１を操作することにより、視聴するコンテンツを選択して、コンテンツの視聴を開始することができる。したがって、客は、操作性が悪いウェアラブル端末３でコンテンツを選択したり注文したりすることなく、飲食物の注文にも用いられる注文端末１を用いて注文操作をすることにより、コンテンツの視聴が可能になり、客がストレスを感じることなくコンテンツを視聴できる。また、視聴管理システムＳ１においては、ウェアラブル端末３において会員ＩＤ等の個人情報を入力する必要がないので、店舗で貸し出されるウェアラブル端末３を用いてコンテンツを視聴可能にする場合に好適である。
以下、注文端末１及びウェアラブル端末３の詳細について説明する。
【００２９】
［注文端末１の構成］
図２は、注文端末１の構成を示す図である。注文端末１は、通信部１１と、操作部１２と、表示部１３と、記憶部１４と、制御部１５と、を有する。制御部１５は、操作特定部１５１と、注文管理部１５２と、表示制御部１５３と、を有する。
【００３０】
通信部１１は、ＬＡＮ（Local Area Network）等のネットワークを介して販売管理装置２と通信するための通信インターフェースである。通信部１１は、例えばＬＡＮコントローラを含む。通信部１１は、販売管理装置２から受信した情報を注文管理部１５２に通知し、注文管理部１５２から受け取った情報を販売管理装置２に送信する。
【００３１】
操作部１２は、注文端末１を使用する客が操作をするためのデバイスであり、例えばマウス又はタッチパネルである。操作部１２は、操作に応じた信号を操作特定部１５１に対して出力する。
【００３２】
表示部１３は、注文画面を表示するためのディスプレイである。表示部１３は、コンテンツを注文するための注文画面を表示する。
記憶部１４は、各種のデータを記憶するＲＯＭ（Read Only Memory）、ＲＡＭ（Random Access Memory）及びハードディスク等の記憶媒体である。記憶部１４は、制御部１５が実行するプログラムを記憶する。また、記憶部１４は、予め登録された認証用画像を記憶する。
【００３３】
制御部１５は例えばＣＰＵ（Central Processing Unit）であり、記憶部１４に記憶されたプログラムを実行することにより、操作特定部１５１、注文管理部１５２及び表示制御部１５３として機能する。
【００３４】
操作特定部１５１は、操作部１２から入力された操作に応じた信号に基づいて、客により行われた操作の内容を特定する。操作特定部１５１は、特定した操作内容を注文管理部１５２に通知する。
【００３５】
注文管理部１５２は、客による注文を管理する。具体的には、注文管理部１５２は、操作特定部１５１から通知された操作内容に基づいて、客により行われた注文の内容を特定し、特定した注文の内容を販売管理装置２に通知する。また、注文管理部１５２は、表示制御部１５３を制御することにより、注文を受け付けるための注文画面を表示部１３に表示させる。注文管理部１５２は、注文画面においてコンテンツが注文された後に、ウェアラブル端末３を利用した認証処理を行える状態に移行する。注文管理部１５２は、例えば、認証を行うための認証用画像を注文用表示部に表示させることにより、認証処理を行える状態に移行する。
【００３６】
認証用画像は、例えばＱＲコードであり、認証用識別情報を含んでいる。認証用識別情報は、ウェアラブル端末３を識別する端末識別情報（以下、端末ＩＤという）を含んでいる。端末ＩＤは、店舗ＩＤ又はウェアラブル端末３の貸出者を識別するための貸出者識別情報（以下、貸出者ＩＤという）を含んでいる。認証用識別情報は、ウェアラブル端末を貸し出している店舗においてウェアラブル端末３が使用される部屋を識別するための部屋識別情報（以下、部屋ＩＤという）を含んでいてもよい。
【００３７】
表示制御部１５３は、各種の注文を受け付けるための注文画面を表示部１３に表示させる。図３は、表示部１３に表示される注文画面の例を示す図である。
【００３８】
図３（ａ）は、注文端末１が表示する初期画面の一例である。初期画面には、注文可能な商品の種類を選択するための操作用画像が表示されている。
【００３９】
図３（ｂ）は、客が図３（ａ）の初期画面において「コンテンツメニュー」を選択した後に表示される注文画面の一例である。注文画面には、客が選択可能な複数のコンテンツ名と、各コンテンツを視聴するための操作用画像が表示されている。
【００４０】
図３（ｃ）は、客が図３（ｂ）の注文画面において「ＡＡＡＡＡ」というコンテンツを選択した後に表示される画面の一例である。図３（ｃ）に示すように、表示制御部１５３は、注文画面で視聴するコンテンツが選択された後に認証用画像を表示させる。
【００４１】
なお、注文端末１は、注文端末１が設置されている店舗以外の店舗に対応する注文画面を表示してもよい。例えば、ウェアラブル端末３を貸し出す店舗がチェーン店であるような場合、注文端末１の表示部１３は、複数の店舗それぞれに対応する注文画面を表示してもよい。この場合、表示部１３は、複数の店舗に対応する複数の注文画面から客により選択された、ウェアラブル端末３を貸し出す店舗に対応する注文画面を表示する。注文管理部１５２は、表示制御部１５３を制御することにより、ウェアラブル端末３を貸し出す店舗に対応する注文画面に、当該店舗を識別するための店舗ＩＤを含む認証用画像を表示させる。
【００４２】
［ウェアラブル端末３の構成］
図４は、ウェアラブル端末３の構成を示す図である。ウェアラブル端末３は、通信部３１と、操作部３２と、表示部３３と、撮像部３４と、記憶部３５と、制御部３６と、を有する。制御部３６は、画像読取部３６１と、操作検出部３６２と、認証処理部３６３と、コンテンツ取得部３６４と、表示制御部３６５と、を有する。
【００４３】
通信部３１から制御部３６までの機能部のうち、操作部３２を除く各部は、例えば、客の頭部に装着されるウェアラブル端末３の筐体に組み込まれたスマートフォン等の情報端末により実現される。操作部３２は、ユーザの操作性を向上させるために、例えば筐体の側面に設けられている。
【００４４】
通信部３１は、コンテンツサーバ４との間で各種のデータを送受信するための通信インターフェースである。通信部３１は、例えばインターネットに接続された無線ルーターにアクセスするための無線通信コントローラを含む。通信部３１は、例えば、客が視聴するコンテンツを要求するメッセージをコンテンツサーバ４に送信し、コンテンツサーバ４からコンテンツを取得する。
【００４５】
操作部３２は、例えばタクトスイッチ又はタッチパネルを有しており、ユーザの操作を検出すると、所定の信号を操作検出部３６２に対して出力する。
表示部３３は、コンテンツや各種の情報を表示するディスプレイであり、コンテンツ取得部３６４が取得したコンテンツを表示するコンテンツ表示部として機能する。表示部３３は、客がウェアラブル端末３を装着した状態で客の両目の正面に位置するように設けられている。
【００４６】
撮像部３４は、例えばカメラであり、客がウェアラブル端末３を装着した状態で客の正面に位置する物品を撮像することにより撮像画像を生成する。撮像部３４は、生成した撮像画像を画像読取部３６１及び表示制御部３６５に入力する。撮像部３４が生成した撮像画像は、表示制御部３６５を介して表示部３３に表示される。
【００４７】
記憶部３５は、ＲＯＭ及びＲＡＭを含む記憶媒体である。記憶部３５は、制御部３６が実行するプログラムを記憶する。また、記憶部３５は、予めコンテンツサーバ４から提供された認証キーワードを記憶している。
【００４８】
また、記憶部３５は、コンテンツサーバ４から送信されたコンテンツを一時的に記憶する。記憶部３５は、例えばストリーミング配信されるコンテンツを記憶するために、所定の時間（例えば１０秒）のコンテンツの量に対応するバッファエリアを有する。コンテンツ取得部３６４が取得したコンテンツを記憶部３５が一時的に格納した後に表示制御部３６５に提供することで、ウェアラブル端末３とコンテンツサーバ４との間の通信状態が悪化した場合にも途切れることなく表示部３３にコンテンツが表示される。
【００４９】
制御部３６は例えばＣＰＵであり、記憶部３５に記憶されたプログラムを実行することにより、画像読取部３６１、操作検出部３６２、認証処理部３６３、コンテンツ取得部３６４及び表示制御部３６５として機能する。
【００５０】
画像読取部３６１は、コンテンツを注文するための注文端末に表示される認証用画像を読み取る。画像読取部３６１は、撮像部３４から入力された撮像画像の少なくとも一部の領域を読み取り、読み取った撮像画像を認証処理部３６３に入力する。画像読取部３６１は、例えば撮像画像における中央付近の所定のエリア内の撮像画像を認証処理部３６３に入力する。
【００５１】
操作検出部３６２は、操作部３２において操作が行われたことを示す信号を取得することにより、操作の内容を検出する。操作検出部３６２は、例えば操作部３２から入力された信号がハイレベルからロウレベルに変化したことにより、操作部３２が有するタクトスイッチを押す操作が行われたことを特定する。操作検出部３６２は、検出した操作の内容を認証処理部３６３に通知する。
【００５２】
認証処理部３６３は、注文端末１がウェアラブル端末３を利用した認証処理を行える状態に移行した後に認証処理を実行する。すなわち、認証処理部３６３は、注文端末１が表示した認証用画像を含む撮像画像を撮像部３４が生成した後に認証処理を実行する。認証処理部３６３は、画像読取部３６１が読み取った認証用画像に基づいて認証処理を実行する。
【００５３】
認証処理部３６３は、操作部３２において所定の操作を検出された時点で画像読取部３６１から取得した撮像画像又は撮像画像内の認証用画像を含むコンテンツ要求メッセージをコンテンツサーバ４に送信し、コンテンツサーバ４が撮像画像又は認証用画像に認証用識別情報が含まれているか否かを判定した結果をコンテンツサーバ４から取得する。
【００５４】
認証処理部３６３は、操作検出部３６２が、操作部３２において行われた所定の操作を検出した時点で画像読取部３６１から取得した撮像画像内の認証用画像に、記憶部３５に記憶された認証用識別情報が含まれているか否かを判定することにより認証処理を実行してもよい。この場合、認証処理部３６３は、画像読取部３６１が読み取った認証用画像に、記憶部３５に記憶された認証用識別情報が含まれていることを条件に認証処理が成功したと判定する。認証処理部３６３は、記憶部３５に記憶された認証用識別情報が撮像画像に含まれている場合に認証処理が成功したことをコンテンツ取得部３６４に通知することにより、コンテンツ取得部３６４がコンテンツを取得してもよい。
【００５５】
コンテンツ取得部３６４は、通信部３１を介してコンテンツサーバ４からコンテンツを取得する。コンテンツ取得部３６４は、認証処理部３６３における認証処理が成功したことを条件としてコンテンツサーバ４から送信されるコンテンツの取得を開始する。コンテンツ取得部３６４は、コンテンツサーバ４に対してコンテンツを要求するためのコンテンツ要求メッセージを送信することにより、コンテンツの取得を開始する。コンテンツ取得部３６４は、取得したコンテンツを表示制御部３６５に入力する。
【００５６】
表示制御部３６５は、各種の情報や画像を表示部３３に表示させる。表示制御部３６５は、コンテンツを表示させる前に、撮像部３４から入力された撮像画像を表示部３３に表示させる。表示制御部３６５は、撮像画像を表示させた後に、認証用画像に認証用識別情報が含まれていることを条件に認証処理が成功した場合に、ウェアラブル端末３でのコンテンツの視聴を可能にする。表示制御部３６５は、認証処理に成功した旨の通知を受けると、コンテンツを取得中であることを示す情報を表示させる。表示制御部３６５は、コンテンツ取得部３６４からコンテンツが入力されると、表示部３３へのコンテンツの表示を開始する。
【００５７】
図５は、認証処理部３６３が撮像画像に基づいて認証処理を実行する動作について説明するための図である。図５は、ウェアラブル端末３を使用する客が、注文端末１に表示された認証用画像の付近を撮影することにより画像読取部３６１が生成した撮像画像を示している。図５に示す破線の枠Ｆは、認証処理部３６３が認証処理に用いる画像のエリアを示しており、客が視認できるように表示部３３に表示される。
【００５８】
図５（ａ）においては、認証用画像の一部の領域が枠Ｆに含まれていない。この状態で操作部３２が操作された場合、認証処理部３６３は認証用画像に認証用識別情報が含まれているかどうかを正しく判定できず、認証処理部３６３は認証処理が成功しなかったと判定する。一方、図５（ｂ）においては、認証用画像の全体が枠Ｆに含まれている。この状態で操作部３２が操作された場合、認証処理部３６３は、認証用画像に認証用識別情報が含まれているかどうかを正しく判定できる。このように、認証処理部３６３が、撮像画像の一部の領域（枠Ｆ内の領域）の画像に基づいて認証処理を実行することで、認証処理に必要な時間を短縮することができる。
【００５９】
図６は、視聴管理システムＳ１における処理シーケンスを示す図である。図６は、客が店舗に入って受付を済ませて個室に入った時点から開始している。
【００６０】
注文端末１は、客の受付が終了したという通知を販売管理装置２から受けると、図３（ａ）に示したような注文画面を表示する（Ｓ１）。注文端末１は、注文画面において特定のコンテンツを視聴するための操作が行われると（Ｓ２）、注文要求を販売管理装置２に送信する。
【００６１】
販売管理装置２は、注文要求を受けると決済処理を実行する（Ｓ３）。販売管理装置２は、この時点で、予め登録された客のクレジットカード番号を用いて決済処理を実行してもよく、決済処理として、客の会員番号に関連付けてコンテンツ視聴料金を記憶してもよい。販売管理装置２は、決済処理を実行すると、注文を承認したことを注文端末１に通知する。
【００６２】
注文端末１は、注文を承認したという通知を販売管理装置２から受信すると、コンテンツサーバ４に対して、認証用画像を要求する。注文端末１は、コンテンツサーバ４から認証用画像の提供を受けると、提供された認証用画像を表示する（Ｓ４）。注文端末１に認証用画像が表示された状態で、ウェアラブル端末３を使用する客が認証用画像を撮影すると、ウェアラブル端末３は撮像画像を生成する（Ｓ５）。ウェアラブル端末３は、コンテンツサーバ４に対してコンテンツ要求メッセージを送信することにより認証処理を実行する（Ｓ６）。
【００６３】
コンテンツサーバ４は、コンテンツ要求メッセージを受信すると、認証処理を実行し、認証に成功すると、コンテンツ要求メッセージにおいて指定されたコンテンツの提供を開始する。ウェアラブル端末３は、コンテンツを受信すると、コンテンツの表示を開始する。
【００６４】
［視聴管理システムＳ１による効果］
以上説明したように、視聴管理システムＳ１においては、ウェアラブル端末３を使用する客が注文端末１において特定のコンテンツを注文する操作を行うと、注文端末１が、ウェアラブル端末３を利用した認証処理を実行するための認証用画像を表示する。ウェアラブル端末３は、客が撮影した認証用画像に予め記憶された認証用識別情報が含まれていると判定した場合にコンテンツを表示することを可能にし、コンテンツサーバ４から取得したコンテンツの表示を開始する。このようにすることで、客がウェアラブル端末３においてコンテンツを注文する操作をする必要がないので、コンテンツを注文するために必要な個人情報等がウェアラブル端末３に記憶されることなく、客がウェアラブル端末３においてコンテンツを視聴することが可能になる。
【００６５】
＜第２の実施形態＞
図７は、第２の実施形態に係る視聴管理システムＳ２の構成を示す図である。視聴管理システムＳ２は、第１の実施形態の視聴管理システムＳ１における注文端末１の代わりに注文端末として機能する携帯端末５が認証用画像を表示する点で、視聴管理システムＳ１と異なる。また、視聴管理システムＳ１における販売管理装置２の代わりに、携帯端末５が決済サーバ６にアクセスして決済処理をする点でも視聴管理システムＳ１と異なる。携帯端末５は、ウェアラブル端末３を使ってコンテンツを視聴する客の携帯端末であり、例えばスマートフォンである。
【００６６】
図８は、携帯端末５の構成を示す図である。携帯端末５は、通信部５１と、操作部５２と、表示部５３と、記憶部５４と、制御部５５とを有する。通信部５１、操作部５２、表示部５３、記憶部５４及び制御部５５は、それぞれ通信部１１、操作部１２、表示部１３、記憶部１４及び制御部１５と同等の機能を有する。ただし、通信部５１は、携帯電話網の基地局にアクセスするための無線通信インターフェースを有する点で通信部１１と異なる。
【００６７】
制御部５５は、記憶部５４に記憶されたプログラムを実行することにより、操作特定部５５１、注文管理部５５２及び表示制御部５５３として機能する。操作特定部５５１、注文管理部５５２及び表示制御部５５３は、それぞれ操作特定部１５１、注文管理部１５２及び表示制御部１５３に対応する。
【００６８】
以下、図７を参照しながら、視聴管理システムＳ２の動作について説明する。客が携帯端末５のブラウザを起動して、ウェアラブル端末３を貸し出す店舗のウェブサイトにアクセスすることで、携帯端末５は、図３（ａ）に示した注文画面を表示する（図７における（１））。客が、図３（ｂ）に示した画面においてコンテンツを選択すると、携帯端末５は決済サーバ６に対して決済処理を要求する。
【００６９】
決済サーバ６は、決済処理の要求を受けると、コンテンツの料金を決済する（図７における（２））。決済サーバ６は、例えば予め登録された客のクレジットカード番号に基づいて決済したり、携帯端末５の通信料金と加算するように決済したりする。決済サーバ６は、決済が完了すると、決済が完了したことを、携帯端末５、又は携帯端末５に対して図３に示す画面のデータを提供しているサーバに通知する。
【００７０】
携帯端末５は、決済サーバ６における決済が終了すると、ウェアラブル端末３を利用した認証処理を行える状態に移行して、認証用画像としてのＱＲコードを表示する（図７における（３））。携帯端末５は、例えばコンテンツサーバ４から認証用画像を取得する。携帯端末５が表示する認証用画像は、第１の実施形態における注文端末１が表示する認証用画像と同等である。その後の動作は、第１の実施形態に係る視聴管理システムＳ１と同様であり、客がウェアラブル端末３により携帯端末５に表示されたＱＲコードを読み取ることで（図７における（４））、認証処理が実行し、コンテンツサーバ４に対してコンテンツを要求する。コンテンツサーバ４は、認証に成功すると、コンテンツの提供を開始する（図７における（６））。
【００７１】
［視聴管理システムＳ２による効果］
以上説明したように、視聴管理システムＳ２においては、携帯端末５が認証用画像を表示するので、注文端末１が設置された店舗内以外の場所においても、ウェアラブル端末３に個人情報を残すことなくウェアラブル端末３でコンテンツの視聴を開始することが可能になる。視聴管理システムＳ２の構成は、例えばイベント会場のように、固定された注文端末１が設置されていない場所でウェアラブル端末３を貸し出す場合に好適である。
【００７２】
＜第３の実施形態＞
図９は、第３の実施形態に係る視聴管理システムＳ３の構成を示す図である。視聴管理システムＳ３においては、視聴管理システムＳ２における携帯端末５が認証用画面を表示する代わりに、携帯端末５が認証用識別情報を無線により送信する。具体的には、注文管理部５５２は、認証処理を行うための認証情報の送信を開始することにより、認証処理を行える状態に移行する。認証用識別情報には、第１の実施形態の注文端末１が表示する認証用画像に含まれている情報と同等の情報が含まれている。すなわち、認証用識別情報には、店舗ＩＤ、部屋ＩＤ又は端末ＩＤの少なくともいずれかが含まれている。
【００７３】
ウェアラブル端末３は、注文端末として機能する携帯端末５が送信する認証用識別情報を受信する受信部（不図示）をさらに有する。認証処理部３６３は、受信部が受信した認証用識別情報が記憶部３５に記憶されている認証用識別情報と一致している場合に、認証処理が成功したと判定する。
【００７４】
携帯端末５が認証用識別情報を送信する手段は任意である。携帯端末５は、例えばBluetooth（登録商標）、Ｗｉ−Ｆｉ（登録商標）、又はＮＦＣ（Near Field Communication）等の通信方式を用いて認証用識別情報を送信する。
【００７５】
［視聴管理システムＳ３による効果］
以上説明したように、視聴管理システムＳ３においては、携帯端末５が認証用識別情報を送信する。このようにすることで、ウェアラブル端末３を使用するユーザがＱＲコードを読み取る動作をすることなくウェアラブル端末３でコンテンツの視聴をすることが可能になる。なお、視聴管理システムＳ３は、携帯端末５の代わりに、認証用識別情報を送信する機能を有する注文端末１を有していてもよい。
【００７６】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００７７】
１  注文端末
２  販売管理装置
３  ウェアラブル端末
４  コンテンツサーバ
５  携帯端末
６  決済サーバ
１１  通信部
１２  操作部
１３  表示部
１４  記憶部
１５  制御部
３１  通信部
３２  操作部
３３  表示部
３４  撮像部
３５  記憶部
３６  制御部
５１  通信部
５２  操作部
５３  表示部
５４  記憶部
５５  制御部
１５１  操作特定部
１５２  注文管理部
１５３  表示制御部
３６１  画像読取部
３６２  操作検出部
３６３  認証処理部
３６４  コンテンツ取得部
３６５  表示制御部
５５１  操作特定部
５５２  注文管理部
５５３  表示制御部
【図１】
2019161524.tif 000003
【図２】
2019161524.tif 000004
【図３】
2019161524.tif 000005
【図４】
2019161524.tif 000006
【図５】
2019161524.tif 000007
【図６】
2019161524.tif 000008
【図７】
2019161524.tif 000009
【図８】
2019161524.tif 000010
【図９】
2019161524.tif 000011